(57)【特許請求の範囲】
【請求項１】
複数の番組の少なくとも番組名、放送開始時刻、番組長または放送終了時刻、放送チャンネルを含む番組情報を取得する番組情報取得手段と、
前記取得された番組情報に基づいて使用者に番組案内を提示する番組案内提示手段と、
前記提示された番組案内に基づいて使用者により選択された番組の少なくとも放送開始時刻、番組長または放送終了時刻、放送チャンネルを記憶する記憶手段と、
前記記憶された放送開始時刻が到来した場合には、前記放送開始時刻から番組長の間または、前記放送開始時刻から放送終了時刻までの間、前記選択された番組の放送チャンネルを受信して、当該受信内容を記録する受信内容記録手段と、
前記受信内容の記録の期間中に、前記選択された番組に関する番組情報を、改めて取得する最新番組情報取得手段と、
前記改めて取得された番組情報を表示する表示手段と、を備え、
前記表示手段は、前記選択された番組の放送時間帯の変更により、当該番組の選択時点には無かった番組の受信内容が記録された場合には、前記改めて取得された番組情報と共に、前記選択時点には無かった番組が記録されたことを示すマークを表示することを特徴とする番組情報記録装置。
【請求項２】
前記最新番組情報取得手段により取得された前記番組情報に含まれる番組長または放送終了時刻が、前記番組情報取得手段により取得された前記番組情報に含まれる番組長または放送終了時刻に対して変更されていた場合には、前記受信内容記録手段は、前記変更された番組長または放送終了時刻に対応して、前記選択された番組の放送チャンネルを受信して、当該受信内容を記録することを特徴とする請求項１に記載の番組情報記録装置。
【請求項３】
前記最新番組情報取得手段は、前記受信内容記録手段による前記受信内容の記録の期間中以外にも、定期的に前記選択された番組に関する番組情報を取得することを特徴とする請求項１または２に記載の番組情報記録装置。
【請求項４】
複数の番組の少なくとも番組名、放送開始時刻、番組長または放送終了時刻、放送チャンネルを含む番組情報を取得し、
前記取得された番組情報に基づいて使用者に番組案内を提示し、
前記提示された番組案内に基づいて使用者により選択された番組の少なくとも放送開始時刻、番組長または放送終了時刻、放送チャンネルを記憶し、
前記記憶された放送開始時刻が到来した場合には、前記放送開始時刻から番組長の間または、前記放送開始時刻から放送終了時刻までの間、前記選択された番組の放送チャンネルを受信して、当該受信内容を記録し、
前記受信内容の記録の期間中に、当該受信内容に関する番組情報を、改めて取得し、
前記選択された番組の放送時間帯の変更により、当該番組の選択時点には無かった番組の受信内容が記録された場合には、前記改めて取得された番組情報と共に、前記選択時点には無かった番組が記録されたことを示すマークを表示することを特徴とする番組情報記録方法。
【発明の詳細な説明】
【０００１】
【発明の属する技術分野】
本発明は、テレビ番組など、スケジュールに従って送信される番組の予約記録に関し、記録した番組の番組情報を後の検索や参照のために併せて記録する技術に関する。
【０００２】
【従来の技術】
従来より、放送局から放送されるテレビジョン（ＴＶ）番組を受信・録画する装置には、番組予約機能が設けられており、設定された時間が到来すると、設定されたチャンネルを受信して、そのチャンネルの番組の内容が自動的に記録される。この種の装置において設けられる番組予約機能として、例えば、特開平１０−２５７４４９号には、ＣＡＴＶ回線を利用して番組放送局から配信された電子番組ガイド（ＥＰＧ：Electronic Program Guide）データがＴＶ画面などに表示され、使用者が、そのＥＰＧ上で所望の番組を選択し、録画予約することが開示されている。また、特開平１０−２５７４４９号には、インターネットに接続して取得したＥＰＧデータをパソコン画面などに表示し、そのＥＰＧ上で所望の番組を選択し、録画予約するシステムが開示されている。
【０００３】
また、このように録画された番組とともに、録画予約時における番組情報、例えばＥＰＧデータに含まれる番組名、放送日時、番組内容などの情報を録画番組に対応付けて記録し、後でＴＶ画面上などにそれらの番組情報を表示して、録画番組の検索を容易にするシステムが知られている。
【０００４】
【発明が解決しようとする課題】
しかしながら、従来のこの種のシステムでは、番組録画予約時から予約時刻到来までの間に、番組放送時刻などの番組情報に変更があった場合、その変更内容は、番組情報の記録には反映されないため、後に、録画された番組の検索をする際に表示される番組情報は正確でなく、検索に支障が生じる。
【０００５】
本発明は、以上の点に鑑みてなされたものであり、番組録画予約時から予約時刻到来までの間に、番組情報に変更があった場合にも、変更後のより新しい番組情報を使用者に提供することが可能な番組情報記録装置および方法を提供することを目的とする。
【０００６】
【課題を解決するための手段】
上記課題を解決するため、請求項１に記載の発明は、複数の番組の少なくとも番組名、放送開始時刻、番組長または放送終了時刻、放送チャンネルを含む番組情報を取得する番組情報取得手段と、前記取得された番組情報に基づいて使用者に番組案内を提示する番組案内提示手段と、前記提示された番組案内に基づいて使用者により選択された番組の少なくとも放送開始時刻、番組長または放送終了時刻、放送チャンネルを記憶する記憶手段と、前記記憶された放送開始時刻が到来した場合には、前記放送開始時刻から番組長の間または、前記放送開始時刻から放送終了時刻までの間、前記選択された番組の放送チャンネルを受信して、当該受信内容を記録する受信内容記録手段と、前記受信内容の記録の期間中に、前記選択された番組に関する番組情報を、改めて取得する最新番組情報取得手段と、前記改めて取得された番組情報を表示する表示手段と、を備え、前記表示手段は、前記選択された番組の放送時間帯の変更により、当該番組の選択時点には無かった番組の受信内容が記録された場合には、前記改めて取得された番組情報と共に、前記選択時点には無かった番組が記録されたことを示すマークを表示するように構成する。
【０００７】
このように構成された発明によれば、複数の番組の少なくとも番組名、放送開始時刻、番組長または放送終了時刻、放送チャンネルを含む番組情報が取得され、その番組情報に基づいて使用者（ユーザ）に番組案内が提示される。そして、提示された番組案内に基づいて使用者が所望の番組を選択すると、その選択された番組の少なくとも放送開始時刻、番組長または放送終了時刻、放送チャンネルが記憶される（録画予約）。そして、記憶された放送開始時刻が到来すると、放送開始時刻から番組長の間または、放送開始時刻から放送終了時刻までの間、選択された番組の放送チャンネルが受信され、当該受信内容が記録される。また、番組の受信内容が記録されている期間中に、選択された番組に関する番組情報が、改めて取得され表示される。このとき、選択された番組の放送時間帯の変更により、当該番組の選択時点には無かった番組の受信内容が記録された場合には、当該改めて取得された番組情報と共に、上記選択時点には無かった番組が記録されたことを示すマークが表示される。従って、番組録画予約時から番組放送開始時刻の到来までの間に、番組情報に変更があった場合にも、変更後のより新しい番組情報を表示することができる。また、番組録画予約時から番組放送開始時刻の到来までの間に、当該番組の放送時間帯に変更があった場合にも、ユーザは、かかる変更があったことと、その変更の内容を容易に知ることができる。
【０００８】
請求項２に記載の発明は、請求項１に記載の番組情報記録装置において、前記最新番組情報取得手段により取得された前記番組情報に含まれる番組長または放送終了時刻が、前記番組情報取得手段により取得された前記番組情報に含まれる番組長または放送終了時刻に対して変更されていた場合には、前記受信内容記録手段は、前記変更された番組長または放送終了時刻に対応して、前記選択された番組の放送チャンネルを受信して、当該受信内容を記録するように構成する。従って、番組の番組長または放送終了時刻の変更があった場合にも、番組の受信内容を途中で終了することなく記録することができる。
【００１０】
請求項３に記載の発明は、請求項１または２に記載の番組情報記録装置において、前記最新番組情報取得手段は、前記受信内容記録手段による前記受信内容の記録の期間中以外にも、定期的に前記選択された番組に関する番組情報を取得するように構成する。従って、番組情報に変更があった場合にも、常に、変更後のより新しい番組情報を使用者に提示することができる。
【００１１】
請求項４に記載の発明は、複数の番組の少なくとも番組名、放送開始時刻、番組長または放送終了時刻、放送チャンネルを含む番組情報を取得し、前記取得された番組情報に基づいて使用者に番組案内を提示し、前記提示された番組案内に基づいて使用者により選択された番組の少なくとも放送開始時刻、番組長または放送終了時刻、放送チャンネルを記憶し、前記記憶された放送開始時刻が到来した場合には、前記放送開始時刻から番組長の間または、前記放送開始時刻から放送終了時刻までの間、前記選択された番組の放送チャンネルを受信して、当該受信内容を記録し、前記受信内容の記録の期間中に、当該受信内容に関する番組情報を、改めて取得し、前記選択された番組の放送時間帯の変更により、当該番組の選択時点には無かった番組の受信内容が記録された場合には、前記改めて取得された番組情報と共に、前記選択時点には無かった番組が記録されたことを示すマークを表示するように構成する。
【００１２】
このように構成された発明によれば、複数の番組の少なくとも番組名、放送開始時刻、番組長または放送終了時刻、放送チャンネルを含む番組情報が取得され、その番組情報に基づいて使用者（ユーザ）に番組案内が提示される。そして、提示された番組案内に基づいて使用者が所望の番組を選択すると、その選択された番組の少なくとも放送開始時刻、番組長または放送終了時刻、放送チャンネルが記憶される（録画予約）。そして、記憶された放送開始時刻が到来すると、放送開始時刻から番組長の間または、放送開始時刻から放送終了時刻までの間、選択された番組の放送チャンネルが受信され、当該受信内容が記録される。また、番組の受信内容が記録されている期間中に、選択された番組に関する番組情報が、改めて取得される。このとき、選択された番組の放送時間帯の変更により、当該番組の選択時点には無かった番組の受信内容が記録された場合には、当該改めて取得された番組情報と共に、上記選択時点には無かった番組が記録されたことを示すマークが表示される。従って、番組録画予約時から番組放送開始時刻の到来までの間に、番組情報に変更があった場合にも、変更後のより新しい番組情報を表示することができる。また、番組録画予約時から番組放送開始時刻の到来までの間に、当該番組の放送時間帯に変更があった場合にも、ユーザは、かかる変更があったことと、その変更の内容を容易に知ることができる。
【００１３】
【発明の実施の形態】
以下、図面を参照して本発明の好適な実施の形態について説明する。
【００１４】
図１に、本発明の実施形態にかかる番組放送システムの概略構成を示す。図１に示すセンタ装置１は、テレビジョン（ＴＶ）番組（以下「番組」と呼ぶ。）の放送局に配置され、衛星３ｂを介した電波、地上波、ＣＡＴＶ（Community Antenna Televisionまたは、Cable Television）回線５などによって、番組を放送する。端末装置２は、視聴者の家庭に配置され、放送局のセンタ装置１から放送された番組放送信号（放送波）を受信して番組を、後述するディスプレイ３０や、テレビジョン受像機（ＴＶ）３３（図４参照）の画面上に表示するとともに、スピーカから音声を再生する。また、センタ装置１では、番組情報としての電子番組ガイド（ＥＰＧ：Electronic Program Guide）データを作成し、端末装置２からの要求に応じて、公衆回線６を介して、端末装置２に送信する。端末装置２では、センタ装置１から送信されたＥＰＧデータを受信して、それをディスプレイ３０やＴＶ３３画面上に表示する。なお、本実施形態においては、公衆回線６をインターネットとして、センタ装置１から端末装置２へのＥＰＧデータの送信は、図示しないプロバイダのＷＷＷ（World Wide Web）サーバを介して行なうものとして説明を続ける。また、図１においては、一つの放送局を示しているが、複数の放送局が設けられ、その放送局毎にセンタ装置１を設置しても構わない。例えば、衛星を介して番組を放送する放送局、地上波により番組を放送する放送局、ＣＡＴＶ回線を介して番組を放送する放送局に分けてもよい。
【００１５】
図２に、本発明の実施形態にかかるセンタ装置１の概略機能ブロックを示す。図２に示すように、センタ装置１は、バス７に種々の要素が接続された構成を有する。番組送出部８では、生番組、ニュース、ＶＴＲテープに収録されたパッケージメディア、他局から受信した再送信用番組（他局から受信した番組をチャンネル変換することはあるがそのまま放送する番組）などの番組データを、ＥＰＧ・スケジュール記憶部９に予め設定、記憶された放送スケジュールに従って、所定の時刻に所定のチャンネルで、変調処理部１０へ送出する。この際、番組送出部８では、かかる番組データを、例えば、ＭＰＥＧ（Moving Picture Experts Group）２などに基づく多重化圧縮方式に従って多重化し、パケット形式の圧縮デジタルデータ（トランスポート・ストリーム）に生成して送出する。トランスポート・ストリームとは、ＭＰＥＧ２に規定されている伝送用のビットストリームをいい、映像・音声・その他のデータの全てを固定長のパケットにして伝送するものである。番組送出部８から送出された圧縮デジタルデータは、変調処理部１０にて、例えば、６４ＱＡＭ（64 Quadrature Amplitude Modulation）等のデジタル変調方式を用いて変調され、アンテナ３ａ、４ａ若しくは、ＣＡＴＶ回線５を介して放送される。なお、放送番組は、ＮＴＳＣ（National Television System Committee）信号、即ち、従来より標準の放送方式として用いられてきたアナログテレビジョン信号として放送しても構わない。ここで、番組放送の方法としては、衛星を利用した放送（アンテナ３ａから放送）、従来より一般的な地上波による放送（アンテナ４ａから放送）、ＣＡＴＶ回線５を利用した放送などがある。
【００１６】
図２に示すコントローラ１１は、ＥＰＧ・スケジュール記憶部９に記憶されたＥＰＧデータをホームページ（ＷＥＢページ）の形式に編集し、モデム１２を介して、図示しないプロバイダのＷＷＷサーバに登録する。ＥＰＧデータには、番組名、放送開始時刻、番組長または放送終了時刻、放送チャンネル、課金情報、番組予約に関する情報、番組に関連する情報の提供元のＵＲＬ（Uniform Resource Locator)等が含まれる。ＵＲＬとは、ＷＷＷ上の特定のリンク先を指定するアドレス情報である。プロバイダのＷＷＷサーバに登録されたホームページには、ＥＰＧデータがＨＭＴＬ（Hypertext Markup Language）やＸＭＬ（Extensible Markup Language）で記載される。ＸＭＬとは、拡張型マークアップ言語を意味し、検索機能や、他のパソコンソフトとのリンク機能に優れている。端末装置２は、プロバイダのＷＷＷサーバに登録されたホームページを、インターネットを介して、取得することができる。
【００１７】
また、ＣＡＴＶシステムが双方向システムの場合には、ＣＡＴＶ回線５の所定の周波数帯域で、双方向通信により、ＥＰＧのホームページを、端末装置２へ提供するように構成しても構わない。例えば、図３（Ａ）では、センタ装置１に、プロバイダ機能を有するサーバ１３を設けることにより、ＥＰＧのホームページを、ＣＡＴＶ回線５を介して、端末装置２から取得することができる。これにより、端末装置２では、センタ装置１を、あたかも一般のインターネットのプロバイダのＷＷＷサーバとして利用することができる。また、図３（Ｂ）に示すように、ＥＰＧ提供会社で、各放送局のＥＰＧのホームページを製作、提供しても構わない。なお、センタ装置１は、端末装置２から公衆回線６または、ＣＡＴＶ回線６を介して要求されたＥＰＧデータを、衛星３ｂを介した電波、地上波により送信することも可能である。
【００１８】
図４は、本発明の実施形態にかかる端末装置２の概略機能ブロックを示す。図４に示すように、端末装置２は、バス１４に種々の要素が接続された構成を有する。端末装置２は、ＣＰＵを主体として構成されたコントローラ２３を備えている。コントローラ２３は、キーボード、マウスなどの入力部２７、または、付属のリモコン３１からの信号に基づき、各要素を制御する。例えば、番組の受信や、映像データ若しくはＥＰＧデータのディスプレイ３０への出力制御などを行う。また、コントローラ２３は、端末装置２に接続されたＴＶ３３、ＶＴＲ３４（Video Tape Recorder）へも映像データ、音声データ、ＥＰＧデータの出力制御や、録画・再生制御を行うことができる。
【００１９】
センタ装置１から放送された番組の放送波は、番組放送の形態に応じて、衛星放送用アンテナ３ｃ、地上波用アンテナ４ｂ、ＣＡＴＶ回線５の何れかを介してチューナ１５により受信される。チューナ１５は、ユーザの選択した受信帯域に同調し、受信した放送波をＩＦ（中間周波数）信号に変換し、復調処理部１６へ送る。なお、チューナ１５は、番組放送の形態毎に、放送波をＩＦ（中間周波数）信号に変換する回路を設けている。復調処理部１６は、入力された信号を復調する。なお、復調処理部１６についても、番組放送の形態毎に、復調回路を設けている。コントローラ２３は、復調された信号から、映像データと音声データとを抽出し、それぞれ画像処理部１９と音声処理部１８とへ供給する。画像処理部１９は、映像データを復号して番組映像データを生成し、所定の信号処理を施して、ディスプレイ３０や、ＴＶ３３へ映像出力する。また、画像処理部１９は、ディスプレイ３０、ＴＶ３３画面に表示された番組映像上に文字情報などを重畳させる機能を有する。後に述べるＥＰＧのホームページデータは、この画像処理部１９のＷＥＢブラウザ機能などにより、番組映像データ上に重畳され、又は番組映像データと置き換えられて出力され、ディスプレイ３０や、ＴＶ３３画面に表示される。一方、音声処理部１８は、入力された音声データを復号化して番組音声データを生成し、所定の音声信号処理を行って、スピーカ２９やＴＶ３３に音声出力する。
【００２０】
また、コントローラ２３は、入力部２７若しくは、リモコン３１からの指示に基づき、モデム２２を介して、インターネット（公衆回線６）に接続し、予め用意されたＥＰＧのホームページのＵＲＬを指定して、図示しないプロバイダのＷＷＷサーバから、ＥＰＧのホームページデータをＨＭＴＬ形式またはＸＭＬ形式で取得する。また、コントローラ２３は、後述する番組の録画予約または、視聴予約の時刻が到来した際に、インターネットに接続し、改めてＥＰＧのホームページデータを取得する。取得されたＥＰＧのホームページデータは、ＲＡＭ２４の所定の作業領域に記憶されるとともに、コントローラ２３の指示に基づき、画像処理部１９により、ディスプレイ３０や、ＴＶ３３画面上に表示される。また、ＥＰＧのホームページデータは、ＨＤ（Hard Disc）ドライブ２５を介してＨＤや、ＤＶＤ（Digital Versatile Disc）ドライブ２６を介してＤＶＤ−Ｒ／ＷやＤＶＤ−ＲＡＭに記録される。また、センタ装置１が図３（Ａ）に示す構成である場合、コントローラ２３は、ＣＡＴＶ回線６を介して（符号３２部のルート）、ＥＰＧのホームページデータを取得することもできる。
【００２１】
次に、ＥＰＧのホームページ（番組案内のホームページ）について、図５乃至図８を参照して説明する。なお、以降の説明では、ディスプレイ３０に表示されたＥＰＧのホームページを例にとって説明する。
【００２２】
図５は、ディスプレイ３０に表示された番組表のホームページ（以下「番組表画面」と呼ぶ。）の一例を示すものである。図５に示す番組表画面は、複数のチャンネルの番組表を日毎（曜日毎）に示したものである。番組表画面の最上部（符号４０部）には、番組表のホームページ画面のＵＲＬが表示される。符号４１部には、現在の日時が表示される。曜日タブ４２には、図示のように当日から８日分の曜日が表示される。図５の例では、「１３日（土）」の曜日タブ４２が選択され、番組表表示エリア４３内に、この日の番組表が表示されている。番組表は、各曜日毎に全てのチャンネルについて用意され、ユーザが曜日タブ４２で希望の日をマウスなどによりクリック（指定）すると、コントローラ２３は、クリックされた曜日の番組表データを、インターネットおよびモデム２２を介して、ＷＷＷサーバから取得し、番組表画面に表示する。番組表表示エリア４３内に表示され、枠により仕切られた各単位を番組セル４５と呼ぶ。番組表表示エリア４３の左側には時間帯表示エリア４４がある。図５の例は、５月１３日（土）の午後７時から１０時までの時間帯の番組表を示している。また、番組表表示エリア４３の上部には、横方向にチャンネルが表示されている。なお、図５の表示例では時間軸方向に３時間分、チャンネル軸方向に５チャンネル分の番組表を示しているが、これに限定されず、例えばより長い時間、より多くのチャンネルを一度に表示するように構成することもできる。
【００２３】
また、ある番組セル４５内には、継続マーク４６が表示される。継続マーク４６は、その番組の時間が長いため現在の番組表表示エリア４３内に表示しきれず、マークが示す時間軸方向に継続していることを示している。例えば、図５の１３０ｃｈの午後９時から始まる映画「セブン」は、２時間番組であるが、図５では時間帯が１０時までしか表示されていないため、その全てを表示できない。よって１０時以降もその番組が継続していることを継続マーク４６により示している。なお、上向きの継続マーク４９はその番組の時間帯が上方向（時間の早い方向）に継続しており、下向きの継続マーク４６はその番組の時間帯が下方向（時間の遅い方向）に継続していることを示す。これらの継続マークをマウスなどによりクリックすることで、表示しきれていない部分がスクロールして表示される。符号４８部に示すハイライト表示（視覚的に他のセルと区別可能に表示形態を異ならせる表示）されている番組セルは、予約済（後述する視聴予約、録画予約）の番組を示している。後述する視聴予約、録画予約がされた番組のセルはハイライト表示されることとなる。
【００２４】
また、各番組セル内に表示された番組名には、例えば、下線などがひかれマウスなどによりクリック可能であることが示されている。これらの番組名のうち、例えば、符号４７部に示す「映画劇場」をマウスなどによりクリックすると、そこに定義付けられたＵＲＬに基づき、コントローラ２３は、インターネットを介し、「映画劇場」の番組詳細情報のホームページデータをＷＷＷサーバから取得し、ディスプレイ３０に表示する。
【００２５】
図６（Ａ）は、ディスプレイ３０に表示された番組詳細情報のホームページ（以下「番組詳細情報画面」と呼ぶ）の一例を示すものである。図６（Ａ）の例では、「映画劇場」の番組詳細情報を表示しており、番組詳細情報画面の最上部（符号５０部）には、番組詳細情報画面のＵＲＬが表示される。番組詳細情報には、図６（Ａ）に示すように、「映画劇場」の「放送会社名」、「ジャンル」などの情報が含まれ、放送時刻５１には、当該番組の放送予定の時刻が表示されている。番組詳細情報画面の最下部には、戻る５２と次頁へ５３のコマンドが表示されており、戻る５２をマウスによりクリックすると図５の番組表画面に戻り、次頁へ５３をクリックすると、コントローラ２３は、次の頁の番組詳細情報のホームページデータを、ＷＷＷサーバから取得し、ディスプレイ３０に表示する。
【００２６】
図６（Ｂ）は、ディスプレイ３０に表示された次の頁の番組詳細情報画面の一例を示すものである。図６（Ｂ）の例においても、番組詳細情報画面の最上部（符号５４部）には、この頁の番組詳細情報画面のＵＲＬが表示される。この番組詳細情報画面には、「映画劇場」の番組内容５５、課金情報５６、番組予約５７などのコマンドが表示されており、これらのコマンドをマウスなどによりクリックすると、コントローラ２３は、対応するホームページデータをＷＷＷサーバから取得し、ディスプレイ３０に表示する。また、図６（Ｂ）の符号５８部には、「映画劇場」に関する絵などが表示され、これをクリックすることにより、「映画劇場」に関係するその他の情報を取得することもできる。また、図６（Ｂ）の番組詳細情報画面には、後述する「補足情報」などのコマンドが、適宜、追加表示される。
【００２７】
図７（Ａ）は、番組内容５５のクリックによりディスプレイ３０に表示された番組内容のホームページ（以下「番組内容画面」と呼ぶ）を、図７（Ｂ）は、課金情報５６のクリックによりディスプレイ３０表示された課金情報のホームページ（以下「課金情報画面」と呼ぶ）の一例を、それぞれ、示すものである。番組内容画面および課金情報画面の最上部（符号６０部および符号６１部）には、それぞれ、対応するＵＲＬが表示される。番組内容画面には、「映画劇場」の「あらすじ」などを含む詳しい内容が表示される。また、課金情報画面には、「映画劇場」のパレンタルレベル（視聴年令制限）や、有料、無料を区別する情報が表示される。
【００２８】
図８は、番組予約５７のクリックによりディスプレイ３０に表示された番組予約のホームページ（以下「番組予約画面」と呼ぶ）を示すものである。図８の例は、後述のように、予約の設定中若しくは、以前に予約が決定済みの番組の場合を示しており、初期状態では、マーク６６ａ部等の選択は、全て白丸（未設定）になっている。
【００２９】
番組予約画面の最上部（符号６５部）には、番組予約画面のＵＲＬが表示される。番組予約画面では、放送予定の番組の視聴予約、録画予約などの設定を行う。視聴予約とは、設定された番組放送時刻が到来した時に、自動的に、当該番組のチャンネルを受信し、スピーカ２９、ディスプレイ３０または、ＴＶ３３に番組の音声データ、映像データを出力するための予約をいう。即ち、視聴予約をすることにより、ユーザが、番組の放送時刻を忘れていた場合であっても、自動的にディスプレイ３０または、ＴＶ３３に番組が表示されることになる。録画予約とは、設定された番組の放送時刻が到来した時に、自動的に、当該番組のチャンネルを受信し、ＨＤドライブ２５、ＤＶＤドライブ２６、ＶＴＲ３４に番組の音声データ、映像データを出力し、記録するための予約をいう。例えば、「映画劇場」が録画予約の設定がされている場合には、当該番組の放送開始時刻（２０：００）が到来した時に、コントローラ２３は、「１２０チャンネル」を受信し、受信内容の記録を開始し、放送終了時刻（２１：００）が到来した時に、その記録を終了する。
【００３０】
図８の例では、視聴６６の「する」の左隣のマーク６６ａが黒丸に、「しない」の左隣のマーク６６ｂが白丸に、それぞれ表示されている。この状態は、視聴予約の設定がなされていることを示している。この状態で、「しない」の左隣のマーク６６ｂをマウスなどによりクリックすると、マーク６６ｂの表示が白丸から黒丸に変わるとともに、マーク６６ａの表示が黒丸から白丸に変わり、視聴予約が解除される。また、図８に示す録画６７についても、視聴６６と同様であり、「する」の左隣のマーク６７ａが黒丸表示の場合には、録画予約の設定がなされていることを示している。図８に示す回数６８では、視聴６６、録画６７にて、予約が設定された場合に、自動的に行われる当該番組の受信等を、図５の番組表画面でクリックされた日時の時間帯の１回きり行なうか、或いは、毎週の当該時間帯に行なうかを設定する。例えば、番組表画面でクリックされた日時の時間帯に放送される番組が毎週放送されている連続番組である場合、「毎回」に設定すると（黒丸表示）、毎週のその時間帯毎に、当該番組を受信し、記録等を行なうこととなる。この「毎回」の設定は、毎週に限らず、「毎日」或いは「毎月」にも設定することもできる。
【００３１】
また、録画メディアの指定６９では、録画６７にて録画予約が設定された場合に、当該番組の内容をどのメディアに記録するかを設定する。図８の例では、録画メディアとして、「ＶＴＲ」、「ＨＤ」、「ＤＶＤ」を設定することができる。番組記録を行う録画メディアは、マウスなどによるクリックにて、複数設定することもでき、例えば、図８の例では、「ＶＴＲ」と「ＤＶＤ」を設定（黒丸表示）しているので、当該番組の放送開始時刻が到来すると、コントローラ２３は、ＶＴＲ３３および、ＤＶＤドライブ２６に、当該番組を記録させるための信号を出力する。これにより、ＶＴＲ３３中のビデオテープおよび、ＤＶＤドライブ２６中のＤＶＤに番組の内容が記録（録画）される。
【００３２】
ホームページの記録７０では、図６、図７などに示す番組のホームページを、番組の内容と共に、指定した録画メディアにどのように記録するかを設定する。上記にて説明した図６、図７に示すホームページは、図９に示すように、リンクされており、図６（Ａ）に示す番組詳細のホームページはトップページを示し、図６（Ｂ）、図７（Ａ）、図７（Ｂ）に示すホームページと、さらには、追加されたホームページは、リンクページを示す。図８のホームページの記録７０にて、「トップページのみ」を設定（黒丸表示）した場合には、図６（Ａ）に示すトップページのみの画面（ＨＴＭＬまたはＸＭＬテキストデータ）およびＵＲＬを、ＨＤ、ＤＶＤ等に記録する。また、「リンクページすべて」を設定（黒丸表示）した場合には、図９に示すリンクページの全ての画面（ＨＴＭＬまたはＸＭＬテキストデータ）およびＵＲＬを、ＨＤ、ＤＶＤ等に記録する。また、「アドレスのみ」を設定（黒丸表示）した場合には、図９に示すトップページおよびリンクページの画面（ＨＴＭＬまたはＸＭＬテキストデータ）を除いた全てのＵＲＬのみを、ＨＤ、ＤＶＤ等に記録する。なお、ＶＴＲなどで、これらのデータが記録できない場合は、ＨＤなどに記録するようにしてもよい。
【００３３】
以上のように、図８に示す番組予約画面において設定された内容は、決定７０ａがクリックされると決定し、ＵＲＬ、番組名、放送日時、放送チャンネル等の各種情報とともに、予約情報として、コントローラ２３により、ＨＤに記録される。そして、視聴６６および録画６７にて予約が設定された場合には、その内容を一覧表で確認することができる。なお、コントローラ２３は、図８に示す番組予約画面において、マウスなどにより、マークがクリックされる度に、それを認識し設定された内容を記録するように構成してもよいし、例えば、図８の最下部に示す戻る５２または、前頁へ５９がクリックされた時に一括して設定内容を記録するように構成してもよい。なお、図８に示す設定の表示は、各設定（ＨＤ等に記録された設定）に基づく、端末内でのページの表示処理によってなされるものであり、ＷＷＷサーバ内のホームページデータ自体に変更を加えるものではない。
【００３４】
図１０は、ディスプレイ３０に表示された予約内容一覧画面の一例である。予約内容一覧画面は、図８に示す番組予約画面の視聴６６、録画６７にて予約が設定された場合に、上記ＨＤに記録された予約情報に基づいて、コントローラ２３により、作成されるものである。予約内容一覧画面は、図６（Ａ）に示す番組詳細情報画面のデータや、図７（Ａ）に示す番組内容画面のデータに基づいて作成される。図１０に示す予約種類７１には、予約種類が、視聴予約であるか、録画予約であるかが表示されている。また、メディア７２には、予約種類が録画予約であった場合に記録される予定のメディアが表示されている。予約日時７３には、番組放送予定日および時間が表示されている。これにより、ユーザは予約した内容を入力部２７の所定の操作によって、確認することができる。また、図８に示す番組予約画面にて予約の変更があった場合、番組予約画面には、変更後の内容が表示される。
【００３５】
図８に示す番組予約画面で、視聴予約された番組の放送開始時刻が到来した場合には、コントローラ２３は、当該番組を受信（選局）し、ディスプレイ３０等に出力する。また、録画予約された番組の放送開始時刻が到来した場合には、コントローラ２３は、当該番組を受信（選局）し、その内容をＨＤドライブ２５等に記録させるための信号を出力する。さらに、コントローラ２３は、視聴予約、録画予約された番組の放送開始時刻が到来した場合には、モデム２２を介して、インターネットに接続し、ＷＷＷサーバから、改めて、ＥＰＧのホームページデータを取得する。なお、コントローラ２３は、録画予約された番組の放送開始時刻が到来した場合、放送開始時刻から放送終了時刻までの期間中であれば、どのタイミングでＥＰＧのホームページデータを取得しても構わない。
【００３６】
図１１乃至図１３は、その時、取得されたＥＰＧのホームページの一例である。図１１に示すように、先に、取得された図５に示す番組表画面に表示された符号４７部の「映画劇場」の放送開始時刻「２０：００」は、「２０：３０」に繰り下がり、変更されている。これは、図１１の符号７４部に示すように、「２０：００〜２０：３０」の時間帯に「特別番組」が挿入されたためである。これにより、「映画劇場」の放送時間帯は、「２０：００〜２１：００」から「２０：３０〜２１：３０」に変更されたのである。ここで、例えば、この「映画劇場」が録画予約されていたとすると、コントローラ２３は、かかる放送時刻の変更に合せて、録画時間帯を「２０：００〜２１：００」から「２０：００〜２１：３０」に設定変更する。これにより、図１１に示す「映画劇場」は、途中で記録が終了されることなく、最後まで記録されることとなる。また、「映画劇場」の放送時間帯に挿入された「特別番組」は、「映画劇場」の放送開始時刻から、「映画劇場」とともに記録されることとなる。但し、コントローラ２３は、かかる放送時刻の変更に合せて、録画時間帯を「２０：００〜２１：００」から「２０：３０〜２１：３０」に設定変更し、「特別番組」を記録しないように構成してもよい。或いは、このように自動的に視聴・録画時間を延長することが好ましくない場合もあるため、予約時点に設定された時間通り、視聴・録画させることもできる。かかる放送時間変更時の処理方法は、選択可能に構成することもできる。また、これに伴い、図１２（Ａ）に示す番組詳細情報画面における放送時刻５１の放送時間帯も変更表示される。この新たに挿入された「特別番組」の詳細情報のホームページデータ（図６乃至図９に相当するデータ）も、図８に示すホームページの記録７０での設定に基づいて、ＨＤ、ＤＶＤ等に記録される。
【００３７】
さらに、図１２（Ｂ）に示す番組内容画面では、図６（Ｂ）と比較するとわかるように、補足情報７５が追加表示されている。補足情報７５がマウスなどによりクリックされると、コントローラ２３は、補足情報のホームページデータをＷＷＷサーバから取得し、図１３に示すように、補足情報画面をディスプレイ３０に表示する。補足情報画面に表示された情報は、番組放送時に追加された情報であり、これには、例えば、放送番組を紹介した雑誌名や関連するホームページアドレス（ＵＲＬ）などの情報、さらには、放送番組についての問い合わせ先などの情報が含まれる。この補足情報のホームページデータも、図８に示すホームページの記録７０での設定に基づいて、ＨＤ、ＤＶＤ等に記録される。そして、これら最新情報に基づいて、ＨＤに記録されている予約情報が予約の実行結果として、更新・追記される。
【００３８】
このように、コントローラ２３は、視聴予約や、録画予約された番組の放送開始時刻が到来した場合に、自動的に、インターネットに接続し、ＷＷＷサーバから、改めて、ＥＰＧのホームページデータを取得するので、より新しい情報を記録し、ユーザに対して提供することができる。また、コントローラ２３は、取得されたより新しい情報に基づいて、当初、ユーザにより設定された録画予約などの設定時間を、適宜、変更することができるので、ユーザによる変更手続きの手間を大幅に削減することができる。
【００３９】
図１４（Ａ）は、ディスプレイ３０に表示された録画内容一覧画面の一例である。録画内容一覧画面は、録画予約によりＨＤ等に記録された番組の内容について示す画面である。また、録画内容一覧画面は、図１０に示す予約内容一覧画面と同様、コントローラ２３により、ＨＤ内の更新・追記された予約情報の番組詳細情報画面のデータや、番組内容画面のデータに基づいて作成される。図１４（Ａ）に示すメディア８０には、記録されたメディアが表示されている。録画日時８１には、番組放送がされた日および時間が表示されている。また、録画内容一覧画面において、ユーザが視聴したい番組、例えば、符号８２部の「英会話」をマウスなどによりクリックすると、コントローラ２３は、当該番組が記録されているメディア（ＨＤ）から番組の映像データ、音声データを読み出し、スピーカ２９、ディスプレイ３０、或いは、ＴＶ３３に出力する。これにより、ユーザは、自己が予約して録画した番組を、簡単に検索し、視聴することできる。また、この画面を、ＸＭＬ形式で送信されたＥＰＧのホームページデータ基づいて作成すれば、番組の出演者などのキーワードにより、所望の番組を検索することが可能となる。従って、自己の録画した番組のライブラリーの一括管理が簡単に実現できる。更に、ホームページを記録した場合には、記録メディアからそれを再生して見ることができ、ホームページのアドレスのみを記録した場合は、そのアドレスに基づいて、ＷＷＷサーバから取得して見ることができる。
【００４０】
なお、録画内容一覧画面は、録画順、５０音順、チャンネル順などで表示することが可能であり、項目による番組検索も可能である。また、録画内容一覧画面にて選択した番組の枠内をハイライト表示するように構成してもよい。さらに、録画内容一覧画面には、ＥＰＧのホームページデータに含まれる番組の情報であれば、如何なる情報（図１３に示す補足情報の表示も含む）であっても表示することが可能である。
【００４１】
図１４（Ｂ）は、録画予約された番組の放送開始時刻の変更があった場合に、ディスプレイ３０に表示された録画内容一覧画面の一例である。上述したように、録画予約された番組の放送時間帯に変更があった場合、かかる変更に対応して番組が記録されるが、録画内容一覧画面には、図１４（Ｂ）に示すように、かかる変更の内容が反映される。例えば、図１１を参照して説明したように、「特別番組」が「映画劇場」の予約時点の放送時間帯に挿入され、「映画劇場」とともに記録された場合、図１４（Ｂ）に示す符号８３部に、「特別番組」が記録されたことを示す情報が挿入される。また、図１４（Ｂ）に示す符号８４部には、放送時間帯の変更があったことにより、予約時点の予約情報には無かった「特別番組」が記録されたことを示す変更マークが表示される。これにより、ユーザは、自己が予約して録画した番組の放送時間帯に変更があった場合にも、かかる変更があったことと、その変更の内容を容易に知ることができる。
【００４２】
なお、予約時点に無かった、または、変更された番組かどうかは、番組名や、番組詳細情報のホームページのＵＲＬの比較によって、判定することができる。また、番組に固有の番組コードが付与されている場合は、これによって判定することもできる。
【００４３】
また、録画内容一覧画面において、図示しないが、記録媒体における番組及びホームページのそれぞれの記録位置のデータも記録され、再生時には、それによって検索と再生を行うことができる。記録位置のデータには、例えば、ＨＤであればファイル名など、ＤＶＤであればファイル名、アドレス、タイムコードなど、ＶＴＲであれば、タイムコードなどが含まれる。
【００４４】
次に、番組予約設定時の端末装置２の処理を図１５のフローチャートを参照して説明する。
【００４５】
先ず、ユーザが端末装置２を起動させ入力部２７を使用して所定の操作を行なうと、コントローラ２３は、これに対応して、モデム２２を介して、インターネットに接続し、予め用意された番組表のホームページのＵＲＬして、プロバイダのＷＷＷサーバから番組表のホームページデータをＨＭＴＬ形式またはＸＭＬ形式で取得する（Ｓ２）。取得された番組表のホームページデータは、画像処理部１９のブラウザ機能により、ディスプレイ３０に表示される（Ｓ４）。こうして、図５に示すように、番組表のホームページが表示された状態で、番組セル内の番組名がクリックされた場合には、コントローラ２３は、これを検出し（Ｓ６）、かかる番組に対応する番組詳細情報のホームページのＵＲＬを指定して、モデム２２を介して、ＷＷＷサーバから番組詳細情報のホームページデータをＨＭＴＬ形式またはＸＭＬ形式で取得する。取得された番組詳細情報のホームページデータは、番組表のホームページと同様に、ディスプレイ３０に表示される。こうして、図６（Ａ）のように表示された状態で、次頁へ５３がクリックされた場合には、図６（Ｂ）に示すホームページがＷＷＷサーバから取り込まれ（Ｓ８）、ディスプレイ３０に表示される（Ｓ１０）。そして、図６（Ｂ）に示す番組詳細情報のホームページの番組予約５７がクリックされた場合には、コントローラ２３は、これを検出し（Ｓ１２）、番組予約のホームページのＵＲＬを指定して、モデム２２を介して、ＷＷＷサーバから番組予約のホームページデータをＨＭＴＬ形式またはＸＭＬ形式で取得する（Ｓ１４）。取得された番組予約のホームページデータは、図８に示すように、ディスプレイ３０に表示される（Ｓ１６）。
【００４６】
次に、この状態で、コントローラ２３は、視聴６６、録画６７、回数６８、録画メディアの指定６９、ホームページの記録７０の設定項目におけるそれぞれのマークのクリックを監視しており、マークがクリックされた場合には、コントローラ２３はこれを検出し（Ｓ１８）、クリックされたマークの表示を反転（白丸表示から黒丸表示への反転、または、黒丸表示から白丸表示への反転）させる（Ｓ２０）。また、コントローラ２３は、決定７０ａがクリックされたか否かを判断しており（Ｓ２２）、決定７０ａのクリックを検出した場合には、クリックされたマークに対応する内容を決定し、予約情報としてＨＤに記録する（Ｓ２４）。例えば、録画６７で、マーク６７ａがクリックされた場合には、コントローラ２３は、当該番組の放送開始時刻および終了時刻を録画予約の予約情報として、ＨＤに記録する。また、この時、コントローラ２３は、録画予約された番組の図６（Ａ）および図７（Ａ）等に示す情報を予約情報としてＨＤに記録する。これらＨＤに記録した予約情報は、図１０に示す予約内容一覧画面及び図１４に示す録画内容一覧画面の元となるものであり、テーブル形式で記録される。
【００４７】
また、図８に示す番組予約のホームページの最下部に表示された「前頁へ」がクリックされた場合には、図６（Ｂ）に示す番組詳細情報のホームページに戻る（Ｓ２６）。また、「戻る」がクリックされた場合には、図５に示す番組表のホームページに戻る。なお、図１５に示すフローチャートでは省略したが、図６（Ｂ）に示す番組詳細情報のホームページにおいて、番組内容５５がクリックされた場合には、図７（Ａ）に示す番組内容のホームページが、課金情報５６がクリックされた場合には、図７（Ｂ）に示す課金情報のホームページが、それぞれ、ディスプレイ３０に表示される。
【００４８】
次に、番組予約実行時の端末装置２の処理を図１６のフローチャートを参照して説明する。
【００４９】
上記にて、コントローラ２３は、予約情報と現在時刻を監視し、視聴予約や録画予約の設定がされた番組の開始時刻が到来したか否かを判断する（Ｓ３０）。予約された番組の開始時刻が到来した場合には、コントローラ２３は、予約されたチャンネルの番組を、チューナ１５を介して受信する（Ｓ３２）。続いて、モデム２２を介して、インターネットに接続し、先に、取得した番組表、番組詳細情報およびこれにリンクされたホームページのＵＲＬによって、プロバイダのＷＷＷサーバから、それらのホームページデータをＨＭＴＬ形式またはＸＭＬ形式で取得する（Ｓ３４）。取得されたホームページデータは、先に取得されたホームページデータに上書き保存される。また、この時、ホームページデータ若しくはＵＲＬ（アドレス）は、図８の番組予約画面のホームページの記録７０で設定した方法にて保存される。なお、ホームページデータは、予約時点の予約時間内に放送される番組のすべてについて取得されるのであり、上述の特別番組や、予約した番組が他の番組に変更になった場合は、その代替番組のものが取得される。これらのホームページデータにより、ＨＤ内の予約情報を更新する。但し、特別番組など、予約時点とは、番組名が異なる番組やそのホームページは記録しないようにしてもよい（この場合でも、図１４（Ｂ）に示す情報は残る）。
【００５０】
次に、コントローラ２３は、取得された番組詳細情報のホームページデータを参照して、番組放送時刻に変更があるか判断する（Ｓ３６）。即ち、上述したように、特別番組等の番組が挿入された場合や、野球中継などの番組に延長があったために、予約された番組の放送時刻が繰り下がり、番組の放送終了時刻に変更があったか否かが判断される。番組放送時刻に変更があったと判断された場合には、当該番組の番組終了時刻の設定を変更すべく、ＨＤ内の予約情報を更新する（Ｓ３８）。次に、コントローラ２３は、録画予約があるか否かを判断する（Ｓ４０）。録画予約ありと判断した場合には、コントローラ２３は、受信された番組を、図８の番組予約画面の録画メディアの指定６９にて設定された録画メディアに記録開始する（Ｓ４２）。次に、コントローラ２３は、視聴予約があるか否かを判断する（Ｓ４４）。視聴予約ありと判断した場合には、コントローラ２３は、受信された番組を、受信された番組の音声データを音声処理部１８を介してスピーカ２９に、映像データを画像処理部１９を介してディスプレイ３０（または、ＴＶ３３）に、それぞれ出力する（Ｓ４６）。次に、コントローラ２３は、ホームページ記録予約があるか否かを判断する（Ｓ４８）。ホームページ記録予約ありと判断した場合には、コントローラ２３は、取得したホームページを図８の番組予約画面で設定された条件で、設定された録画メディアに記録する（Ｓ５０）。このとき、ステップＳ３２で、取得されたホームページデータの内容に追加された情報があった場合、例えば、図１３に示す補足情報が追加された場合には、かかるホームページデータも記録される。そして、コントローラ２３は、番組終了時刻が到来したか判断し（Ｓ５２）し、到来した場合には、番組の記録及び出力を停止する（Ｓ５４）。
【００５１】
上記において、録画メディアに余裕がある場合は、放送時刻の変更があった場合に、他の録画・視聴予約済番組の放送時間帯が重ならない限り、或いは、時間帯が重なっても重ならない時間帯のみを、記録するようにしてもよい。また、予約した番組が予約時間内に見当たらない場合は、近傍、例えば、予約時間から１時間後までの範囲を番組名や番組コード等の識別によって検索し、検索された番組を記録するようにしてもよい。
【００５２】
なお、ホームページの取得のタイミングは、基本的には、予約時刻の時点及び、予約時間内にある番組の放送開始時刻の時点である。放送予定に変更がないときは、所望の番組の開始時点となる。図１４（Ｂ）の例では、特別番組の開始時点に特別番組のホームページが取得され、映画劇場の開始時点に映画劇場のホームページが取得される。しかし、例えば、予約時刻の時点に予約時間内にある番組の全てのホームページをすべて取得してもよい。
【００５３】
次に、予約録画された番組再生時の端末装置２の処理を図１７のフローチャートを参照して説明する。
【００５４】
先ず、ユーザが入力部２７を使用して所定の操作を行なうと、コントローラ２３は、これに対応して、録画された番組に関する情報をＨＤ内の予約情報から読み出し、図１４（Ａ）に示す録画内容一覧画面を作成し、ディスプレイ３０に表示する（Ｓ６０）。ここで、予約録画された番組の放送時刻の変更があった場合には、図１４（Ｂ）に示すように、変更された内容が反映されたものとなる。次に、ユーザが視聴したい番組をマウスなどによりクリックすると、コントローラ２３は、これを検出し（Ｓ６２）、クリックされた番組をその録画メディアから読み出し、スピーカ２９およびディスプレイ３０（または、ＴＶ３３）に、再生する（Ｓ６４）。そして、所定の再生停止操作があった否かが判断され（Ｓ６６）、停止操作があった場合には、番組の再生が終了する（Ｓ７０）。一方、停止操作がない場合には、番組が終了したか否かが判断され（Ｓ６８）、終了した場合には、自動的に番組の再生が終了する（Ｓ７０）。また、ユーザは、所定の操作により、記録したホームページ若しくはそのアドレスを随時、表示させることができる。
【００５５】
なお、以上の実施形態においては、予約された番組の放送開始時刻が到来した際、コントローラ２３は、インターネットに接続して、ＷＷＷサーバからＥＰＧのホームページを取得するようにしたが、他の方法として、コントローラ２３は、定期的に、例えば、毎日所定の時刻に、自動的にインターネットにアクセスし、ＷＷＷサーバからＥＰＧのホームページを取得する。そして、先に取得しＨＤに予約情報として記録されたホームページデータと比較して、その内容に変更、追加があるか否かを判断し、変更、追加があった場合には、予約情報の内容を更新するとともに、視聴予約、録画予約の設定を変更するように構成してもよい。このようにした場合は、番組の放送開始時間が早まった場合にも、その番組を全て録画するように構成できる。
また、番組の放送時刻に変更があった場合や、番組の放送時刻に変更がなくとも番組名に変更があった場合には、ディスプレイ３０若しくは、ＴＶ３３画面上に変更、追加された旨を表示したり、スピーカ２９からその旨を出力するように構成してもよい。
【００５６】
また、以上の実施形態においては、図５に示す番組表内の番組名をクリックすることにより予約の設定をおこなったが、この他にも、例えば、ユーザがリモコン３１、若しくはキーボードなどを利用して、予約番組のチャンネル番号、日時を入力して予約設定を行なうシステムの場合にも本発明は適用可能である。
【００５７】
【発明の効果】
以上説明したように、本発明によれば、番組の予約（録画予約、視聴予約）設定時から予約時刻到来までの間に、予約された番組の番組情報に変更があった場合にも、変更後のより新しい番組情報を記録することができるので、予約された番組のより新しい番組情報をユーザに提供することができる。
【図面の簡単な説明】
【図１】本発明の実施形態にかかる番組放送システムの概略構成を示す図である。
【図２】本発明の実施形態にかかるセンタ装置の概略機能ブロックを示す図である。
【図３】本発明の実施形態にかかるセンタ装置の概略機能ブロックの他の例およびＥＰＧ提供会社にて、ＥＰＧのホームページを製作、提供することを示す図である。
【図４】本発明の実施形態にかかる端末装置の概略機能ブロックを示す図である。
【図５】ディスプレイに表示された番組表のホームページの一例を示す図である。
【図６】ディスプレイに表示された番組詳細情報のホームページの一例を示す図である。
【図７】ディスプレイに表示された番組内容のホームページおよび、課金情報のホームページの一例を示す図である。
【図８】ディスプレイに表示された番組予約のホームページの一例を示す図である。
【図９】番組詳細情報のホームページのリンク関係を示す図である。
【図１０】ディスプレイに表示された予約内容一覧画面の一例を示す図である。
【図１１】予約番組の放送開始時刻到来時に取得された番組表のホームページの一例を示す図である。
【図１２】予約番組の放送開始時刻到来時に取得された番組詳細情報のホームページの一例を示す図である。
【図１３】予約番組の放送開始時刻到来時に取得された補足情報のホームページの一例を示す図である。
【図１４】ディスプレイに表示された録画内容一覧画面の一例を示す図である。
【図１５】番組予約設定時の端末装置の処理を示すフローチャートである。
【図１６】番組予約実行時の端末装置の処理を示すフローチャートである。
【図１７】予約録画番組再生時の端末装置の処理を示すフローチャートである。
【符号の説明】
１…センタ装置
２…端末装置
３ａ…衛星放送番組送信用アンテナ
３ｂ…衛星
３ｃ…衛星放送番組受信用アンテナ
４ａ…地上波放送番組送信用アンテナ
４ｂ…地上波放送番組受信用アンテナ
５…ＣＡＴＶ回線
６…公衆回線
７…バス
８…番組送出部
９…ＥＰＧ・スケジュール記憶部
１０…変調処理部
１１…コントローラ
１２…モデム
１３…サーバ
１４…バス
１５…チューナ
１６…復調処理部
１８…音声処理部
１９…画像処理部
２２…モデム
２３…コントローラ
２４…ＲＡＭ
２５…ＨＤドライブ
２６…ＤＶＤドライブ
２７…入力部
２８…Ｉ／Ｏ
２９…スピーカ
３０…ディスプレイ
３１…リモコン
３３…ＴＶ
３４…ＶＴＲ
【図１】
0003980805.tif 000002
【図２】
0003980805.tif 000003
【図３】
0003980805.tif 000004
【図４】
0003980805.tif 000005
【図５】
0003980805.tif 000006
【図６】
0003980805.tif 000007
【図７】
0003980805.tif 000008
【図８】
0003980805.tif 000009
【図９】
0003980805.tif 000010
【図１０】
0003980805.tif 000011
【図１１】
0003980805.tif 000012
【図１２】
0003980805.tif 000013
【図１３】
0003980805.tif 000014
【図１４】
0003980805.tif 000015
【図１５】
0003980805.tif 000016
【図１６】
0003980805.tif 000017
【図１７】
0003980805.tif 000018